(57)【要約】【課題】スイッチの操作を小さい力で確実に行える防水プレートを提供する。【解決手段】防水プレートは、矩形板状に形成された合成樹脂製のプレート１と、弾性と透光性とを有する透明な合成樹脂を用いて縦長の四角形状に形成され、プレート１の裏面側から取着されるカバー２と、弾性を有する合成樹脂を用いて矩形枠状に形成され、プレート１及びカバー２の裏面側から取着されるパッキン３とを備える。プレート１は中央に開口窓５が設けてあり、カバー２は開口窓５に対応する部位を前面側に突出させて操作突出部１０を形成している。またカバー２の外周縁には、略全周に渡って裏面側に突出するシール片１１が形成されており、このシール片１１によりプレート１と密着している。さらにカバー２の操作突出部１０とシール片１１との間には蛇腹形状の可撓部１２が形成されており、この可撓部１２は操作突出部１０を前後方向に押す力に対して可撓性を有している。【選択図】図１
2008011604.tif 000002
【特許請求の範囲】
【請求項１】
造営材に埋込配設された配線器具の操作部を前面側に露出させるための開口部を有し、前記配線器具の前面側に配設されるプレートと、
弾性材料で形成され、前記開口部に対応する部位に前記開口部を通して前面側に突出する突出部を有し、前記プレートの裏面に取着されて前記開口部を閉塞するカバーと、
弾性材料で形成され、前記プレートの裏面と造営面との間で挟着されるパッキンと、を備え、
前記カバーの外周縁には前記プレートと密着するシール部が全周に渡って形成されており、前記突出部と前記シール部との間の形状が前記操作部を押す方向において可撓性を有する蛇腹形状に形成されたことを特徴とする防水プレート。
【請求項２】
前記突出部の内側面において前記操作部と対向する部位に、前記操作部側に突出するリブを少なくとも１つ設けたことを特徴とする請求項１記載の防水プレート。
【請求項３】
前記カバーと前記パッキンとが一体成形されたことを特徴とする請求項１又は２の何れか１項に記載の防水プレート。
【請求項４】
前記開口部は、埋込型配線器具用取付枠に前記プレートを固定するための固定ねじを挿通する挿通孔を有するねじボス部に隣接して形成されており、
前記カバーにおいて、前記ねじボス部に対応する部位に前記ねじボス部を嵌合させる嵌合凹部を設け、前記嵌合凹部の裏面側の端部を内側に延出させて前記ねじボス部の底面と当接する当接部を形成するとともに、前記当接部に前記固定ねじのねじ部の外径寸法よりも小さい開口孔を設けたことを特徴とする請求項１〜３の何れか１項に記載の防水プレート。
【発明の詳細な説明】
【技術分野】
【０００１】
本発明は、造営材に埋込配設されたスイッチ等の配線器具の前面側に配設される防水プレートに関するものである。
【背景技術】
【０００２】
従来より、図１０に示すように、外壁等の造営材に埋込配設された配線器具（例えばスイッチ５５）を水や塵から保護するためにスイッチ５５の前面側に配設される防水プレートがあった（例えば特許文献１参照）。この防水プレートは、スイッチ５５が取着される埋込型配線器具用取付枠５８（以下、取付枠５８という）の前面側に取付けられる矩形板状に形成された合成樹脂製のプレート４１を備えており、プレート４１の中央にはスイッチ５５の操作部５５ａを前面側に露出させるための開口部４５が設けられている。またプレート４１の裏面には、裏面側に突出するリブ５３が開口部４５の周りに一体に周設されており、このリブ５３で形成した枠内には平面視四角形状の防雨カバー４２が配置される。
【０００３】
この防雨カバー４２は、透明な弾性材料で形成されており、プレート４１の開口部４５に対応する部位に前面側に突出する操作突出部５０が設けられている。そして防雨カバー４２の操作突出部５０をプレート４１の開口部４５を通して前面側に露出させた状態でプレート４１裏面のリブ５３で形成した枠内に防雨カバー４２を配置した後、さらに裏面側から中央に開口部５２を有する矩形枠状の押さえ板４３を防雨カバー４２に弾接させるとともにリブ５３の端面に当接させた状態で、例えば超音波熱着によりプレート４１と押さえ板４３とを固着することによって防雨カバー４２がプレート４１と押さえ板４３との間で挟着される。
【０００４】
また防水プレートは、中央に開口部５６を有する矩形枠状のパッキン４４を備えており、パッキン４４の前面側には全周に渡って溝５４が設けられている。そしてプレート４１の裏面側の外周縁に設けたリブ５７をパッキン４４の溝５４に挿入した状態で、プレート４１を外壁に取着された取付枠５８に固定ねじ４９を介して螺着させると、パッキン４４がプレート４１と外壁との間で挟着される。
【０００５】
上述のように防水プレートが外壁に取着された状態では、スイッチ５５の操作部５５ａは、防雨カバー４２の操作突出部５０の裏側にできる空所に配置されており（図１０（ｂ）参照）、前面側から操作突出部５０を押操作すると、操作突出部５０が変形してスイッチ５５の操作部５５ａも押され、スイッチ５５を押操作することができる。
【０００６】
尚、プレート４１には、開口部４５を間にして長手方向両端側に固定ねじ４９を挿通させるためのねじ挿通孔４６がそれぞれ設けられており、固定ねじ４９をねじ挿通孔４６に挿通して取付枠５８のねじ孔（図示せず）に螺着する際に、固定ねじ４９とねじ挿通孔４６との間にねじ用パッキン４８を入れて固定ねじ４９とねじ挿通孔４６との隙間の防水性を確保している。
【特許文献１】特開昭６３−１６１８０６号公報（第２頁、及び、第１図、第２図）
【発明の開示】
【発明が解決しようとする課題】
【０００７】
上述の防水プレートでは、前面側から防雨カバー４２の操作突出部５０を押操作すると、操作突出部５０が変形してスイッチ５５の操作部５５ａも押され、スイッチ５５を押操作することができる。しかし、防雨カバー４２はプレート４１と押さえ板４３との間で挟着されており、操作突出部５０を押操作した場合の撓み代が少ないので、操作部５５ａの切替操作を行うためには操作突出部５０を大きな力で押す必要があった。
【０００８】
本発明は上記問題点に鑑みて為されたものであり、その目的とするところは、スイッチの操作を小さい力で確実に行える防水プレートを提供することにある。
【課題を解決するための手段】
【０００９】
請求項１の発明は、造営材に埋込配設された配線器具の操作部を前面側に露出させるための開口部を有し、配線器具の前面側に配設されるプレートと、弾性材料で形成され、開口部に対応する部位に開口部を通して前面側に突出する突出部を有し、プレートの裏面に取着されて開口部を閉塞するカバーと、弾性材料で形成され、プレートの裏面と造営面との間で挟着されるパッキンと、を備え、カバーの外周縁にはプレートと密着するシール部が全周に渡って形成されており、突出部とシール部との間の形状が操作部を押す方向において可撓性を有する蛇腹形状に形成したことを特徴とする。
【００１０】
請求項２の発明は、突出部の内側面において操作部と対向する部位に、操作部側に突出するリブを少なくとも１つ設けたことを特徴とする。
【００１１】
請求項３の発明は、カバーとパッキンとが一体成形されたことを特徴とする。
【００１２】
請求項４の発明は、開口部は、埋込型配線器具用取付枠にプレートを固定するための固定ねじを挿通する挿通孔を有するねじボス部に隣接して形成されており、カバーにおいて、ねじボス部に対応する部位にねじボス部を嵌合させる嵌合凹部を設け、嵌合凹部の裏面側の端部を内側に延出させてねじボス部の底面と当接する当接部を形成するとともに、当接部に固定ねじのねじ部の外径寸法よりも小さい開口孔を設けたことを特徴とする。
【発明の効果】
【００１３】
請求項１の発明によれば、カバーの突出部とシール部との間の形状を配線器具の操作部を押す方向において可撓性を有する蛇腹形状に形成しており、カバーの突出部を押した場合にはカバーの変形に応じて蛇腹部分が撓むので、突出部の変形量を大きく取ることができ、配線器具の操作部を押すことができる。従って配線器具の操作を小さい力で確実に行うことができ、操作性が向上するという効果がある。
【００１４】
請求項２の発明によれば、リブを設けることにより操作部と突出部との接触面積を小さくすることができるので、突出部が操作部に張り付くことを防止することができる。従ってカバーの突出部から手を離した場合には、カバーを押操作前の状態に確実に戻すことができ、操作性が向上するという効果がある。
【００１５】
請求項３の発明によれば、カバーとパッキンとを一体成形しているので、部品点数及び組み立て工数を削減することができ、コストダウンが図れるという効果がある。またカバーとパッキンとを一体成形することにより水や塵が入り込む虞れがなく、防水性及び防塵性が向上するという効果がある。さらにカバーとパッキンとを一体成形しているので、従来のようにカバーをプレートと押さえ板との間で挟み込んだり、プレートと押さえ板とを熱着したりするスペースが不要であり、これらのスペースを利用してカバーの蛇腹形状の幅を大きくすることができるという効果がある。
【００１６】
請求項４の発明によれば、埋込型配線器具用取付枠はＪＩＳ等で規格化されており、この取付枠に取着される防水プレートに設けた挿通孔のピッチも規格化されている。従って挿通孔を有するねじボス部に隣接して開口部を形成することにより、開口部を大きくすることができるとともに、開口部から露出するカバーの突出部を大きくすることができる。その結果、カバーの押操作面積が大きく取ることができ、操作性が向上するという効果がある。
【００１７】
またカバーの嵌合凹部の裏面側の端部を内側に延出させて当接部を形成しており、この当接部が固定ねじを締付けることによりプレートと埋込型配線器具用取付枠との間で挟着されるので、プレートの開口部とカバーの突出部との当接部位からの浸水を防止することができるという効果がある。さらに当接部に設けた開口孔を固定ねじのねじ部の外径寸法よりも小さく形成しており、この開口孔に固定ねじを挿通させると当接部に穴径を戻そうとする復元力が働くので、ねじ部と当接部とを密着させることができ、ねじ部からの浸水を防止することができるという効果がある。また従来使用していたねじ用パッキンを使用しなくてもねじ部からの浸水を防止することができるので、ねじ用パッキンを削減することができ、コストダウンが図れるという効果がある。
【発明を実施するための最良の形態】
【００１８】
（第１の実施形態）
第１の実施形態を図１〜図６、図８及び図９に基づいて説明する。本発明に係る防水プレートは、外壁等の造営材に埋込配設された配線器具（例えば、スイッチ２６）の前面側に配設され、スイッチ２６（配線器具）を水や塵から保護するために用いられる。尚、図８及び図９については、第２の実施形態の防水プレートの図面であるが、第１の実施形態と第２の実施形態とはカバー２とパッキン３とを一体成形した構成以外の構成は同一であり、防水プレートの取付方法を説明する際には、図８及び図９を用いて説明する。
【００１９】
防水プレートは、図１に示すように、プレート１とカバー２とパッキン３とを主要な構成として備えている。プレート１は矩形板状に形成された合成樹脂成形品からなり、プレート１の中央にはスイッチ２６のハンドル部２６ａ（操作部）を前面側に露出させるための開口窓５（開口部）が設けられている。またプレート１の長手方向両側には、開口窓５に臨んで円弧状の窪み２７が幅方向の略中央にそれぞれ形成されており、各窪み２７の底部には、プレート１を埋込型配線器具用取付枠４（以下、取付枠４という）に取付けるための固定ねじ９を挿通させる挿通孔７を有するねじボス部６がそれぞれ設けられている。またプレート１の裏面側の外周縁には、パッキン３側に突出するリブ８が略全周に渡って突設されている。このプレート１には、弾性と透光性とを有する透明な合成樹脂（例えば、軟質塩化ビニル等）で形成されたカバー２が裏面側から取着される（図１参照）。
【００２０】
カバー２は、図４に示すように、前方から見た形状が縦長の四角形状に形成されており、プレート１の開口窓５に対応する部位を前面側に突出させて操作突出部１０（突出部）を設けている。またカバー２の外周縁には、外縁部が裏面側に突出するシール片１１（シール部）がカバー２の全周に渡って形成されており、プレート１に取付けた際にプレート１とシール片１１とが密着される。さらに操作突出部１０とシール片１１との間には、図５（ｂ）に示すように、操作突出部１０からシール片１１に向かって上下方向に蛇行する蛇腹形状の可撓部１２が形成されており、操作突出部１０を上下方向に押す力に対して可撓性を有している。またプレート１のねじボス部６に対応する部位には、各ねじボス部６が嵌合する嵌合穴１４がそれぞれ形成されている。この嵌合穴１４には、図５（ｃ）に示すように、裏面側の開口端縁を内側に窄めてプレート１のねじボス部６の底面と当接する当接面１６が形成されており、さらにこの当接面１６には固定ねじ９のねじ部９ａの外径寸法よりも小さい穴径のねじ挿通孔１５が設けられている。そしてこのカバー２及びプレート１の裏面側から、弾性を有する合成樹脂（例えば、軟質塩化ビニル等）で形成されたパッキン３が取着される（図１参照）。
【００２１】
パッキン３は、図１に示すように、中央に開口窓２０を有する矩形枠状に形成されており、前面側にはプレート１のリブ８を挿入する挿入溝１７が全周に渡って設けられている。またパッキン３の前面側には、挿入溝１７と開口窓２０との間にカバー２側に突出する突出片１９が全周に渡って突設されている。この突出片１９はカバー２のシール片１１と係合し、上下の突出片１９にはカバー２の嵌合穴１４に対応する部位にそれぞれ係合溝１８ａ、１８ｂが形成されている。
【００２２】
ここで、スイッチ２６が取着される金属製の取付枠４について図１に基づいて説明する。取付枠４はＪＩＳ等で規格化されており、中央にスイッチ２６を前面側に露出するための開口窓２１を有する矩形枠状に形成されている。この取付枠４の幅方向両端には、裏面側に向かって突出する細長い板状の突片２８がそれぞれ設けられており、各突片２８にはスイッチ２６を取付けるための２個１組の取付孔２２が上下方向にそれぞれ３組ずつ並設されている。また開口窓２１を間にして長手方向両側には、取付枠４を埋込ボックス（図示せず）等に固定するための固定ねじ（図示せず）を挿通させる長孔２３がそれぞれ設けられており、さらに各長孔２３よりも長手方向両端側には本発明に係る防水プレートを固定するための固定ねじ９が螺合するねじ孔２４がそれぞれ設けられている。さらに取付枠４の裏面側には、取付枠４の開口窓２１と連通する開口窓１３ａを中央に有し縦長枠状に形成された絶縁カバー１３が取着されており、取付枠４の両突片２８，２８が開口窓１３ａを通して裏面側に露出している。
【００２３】
次に、取付枠４を造営面に取付ける手順について説明する。まず図９（ａ）に示すように、取付枠４の両突片２８，２８に設けた取付孔２２にスイッチ２６の両側面に設けられた２個１組の突起２６ｂを嵌め込んでスイッチ２６を取付枠４に取着する。スイッチ２６の取付けが完了したら、固定ねじを取付枠４の長孔２３に挿通し、取付枠４を固定ねじを介して造営材に埋込配設された埋込ボックスに螺着し、取付枠４を造営面に固着する。そして取付枠４の前面側からハンドル部２６ａをスイッチ２６の前面に取着する。尚、取付枠４からスイッチ２６を取り外す場合は、スイッチ２６の側面に設けられた突起２６ｃを内側に押すことにより突起２６ｂが後退し係合が外れるので、簡単に取り外すことができる。
【００２４】
続いて防水プレートを取付枠４に取付ける手順について説明する。まずプレート１の裏面側からカバー２を近づけ、カバー２の操作突出部１０をプレート１の開口窓５を通して前面側に露出させるとともに、カバー２の嵌合穴１４にプレート１のねじボス部６を嵌め込んでカバー２をプレート１に取着する。この時プレート１とカバー２とは、図２（ｂ）及び図３（ｂ）に示すように、カバー２のシール片１１の部分で互いに密着している。さらに裏面側からプレート１のリブ８をパッキン３の挿入溝１７に挿入しながらパッキン３をプレート１の裏面に取着する。この時カバー２とパッキン３とは、図２（ｂ）及び図３（ｂ）に示すように、カバー２のシール片１１とパッキン３の突出片１９との接触部位において互いに密着している。そして固定ねじ９をプレート１の挿通孔７及びカバー２のねじ挿通孔１５に挿通し、取付枠４のねじ孔２４に螺合させると、防水プレートが取付枠４に固着され、防水プレートの取付けが完了する。この時、スイッチ２６のハンドル部２６ａは、図８（ｂ）に示すように、カバー２の操作突出部１０の内側に形成された空所に配置される。またパッキン３は、固定ねじ９を締付けることによりプレート１の裏側の外周端面と造営面との間で挟着される。
【００２５】
ここで、カバー２の嵌合穴１４の裏面側に設けた当接面１６は、プレート１のねじボス部６と取付枠４との間で挟着され、且つカバー２のシール片１１とパッキン３の突出片１９との接触部位において互いに密着しているので、プレート１の開口窓５とカバー２の操作突出部１０との当接部位からの浸水を防止することができる。またカバー２のねじ挿通孔１５は、固定ねじ９のねじ部９ａの外径寸法よりも小さい穴径に形成されており、このねじ挿通孔１５に固定ねじ９を挿通させると、当接面１６にねじ挿通孔１５の穴径を元に戻そうとする復元力が働くので、ねじ部９ａと当接面１６とが密着し、ねじ部９ａからの浸水を防止することができる。従って従来使用していたねじ用パッキンを使用しなくても、ねじ部９ａと当接面１６とが密着することにより浸水を防止することができるので、ねじ用パッキンを削減することができ、コストダウンが図れる。
【００２６】
次に操作方法について説明する。前面側からカバー２の操作突出部１０を押すと、操作突出部１０の変形に伴って内部に配置されたスイッチ２６のハンドル部２６ａが押され、スイッチ２６のスイッチ操作が行われる。この時、操作突出部１０の変形量に応じて可撓部１２が、図５（ｂ）において上下方向に撓められる。ここに、この可撓部１２は図５（ｂ）中の上下方向に蛇行する蛇腹形状に形成されており、ハンドル部２６ａの押方向において撓み量を大きくとることができるので、操作突出部１０を大きく変形させることができる。従って、ハンドル部２６ａを小さな操作力で確実に押すことができるので、スイッチ２６のスイッチ操作を確実に行うことができ、操作性が向上する。
【００２７】
またカバー２を弾性を有する合成樹脂で形成しているので、カバー２の操作突出部１０から手を離した場合には、変形量に応じた復元力が働き、カバー２の操作突出部１０を押操作前の状態に戻すことができる。さらにプレート１に設けた挿通孔７の取付ピッチはＪＩＳ等で規格化された寸法であり、この挿通孔７に隣接して開口窓５を設けることにより、開口窓５を大きくすることができる。従って、開口窓５から露出するカバー２の操作突出部１０を大きくすることができるので、カバー２の押操作面積が大きくなり操作性が向上する。またカバー２は透光性を有する透明な合成樹脂で形成されているので、カバー２の内部に配置されたスイッチ２６のハンドル部２６ａを前面側から視認することができる。
【００２８】
ここに図６はカバー２の裏面を示しており、操作突出部１０の内側面には複数のリブ２５（図６では左右方向に４本、上下方向に２本）が形成されている。この防水プレートでは、リブ２５を設けることによりスイッチ２６のハンドル部２６ａとの接触面積を小さくすることができるので、操作突出部１０がハンドル部２６ａに張り付くことを防止することができる。従ってカバー２の操作突出部１０から手を離した場合には、カバー２の操作突出部１０を押操作前の状態に確実に戻すことができ、操作性が向上する。
【００２９】
本実施形態では、使用するハンドル部２６ａの大きさが１個モジュール用（取付枠４の開口窓２１の約３分の１の大きさ）、２個モジュール用（取付枠４の開口窓２１の約半分の大きさ）、３個モジュール用（取付枠４の開口窓２１と略同じ大きさ）の何れの場合であっても確実にスイッチ操作できるように、１個モジュール用、２個モジュール用、３個モジュール用のハンドル部２６ａの操作面にそれぞれ対向する部位に左右方向に４本のリブ２５を設けている。また上下方向には、ハンドル部２６ａの揺動動作に応じて接触する幅方向両端側にそれぞれリブ２５が設けられている。
【００３０】
尚、本実施形態では、カバー２の操作突出部１０の内側面に合計６本のリブ２５を設けているが、リブ２５の本数は本実施形態に限定されるものではなく、使用するハンドル部２６ａ応じて適宜変更してもよい。また本実施形態では、３個モジュール用のハンドル部２６ａを例に説明したが、使用するハンドル部２６ａは３個モジュール用に限定されるものではなく、１個モジュール用、２個モジュール用のハンドル部２６ａであってもよい。さらに使用する配線器具もスイッチ２６に限定されるものではなく、操作部を有する配線器具であれば、どのような配線器具にも使用できる。
【００３１】
（第２の実施形態）
第２の実施形態を図７〜図９に基づいて説明する。尚、カバー２とパッキン３とを一体成形した以外の構成は第１の実施形態と同様であるので、同一の構成要素には同一の符号を付して説明は省略する。
【００３２】
本実施形態の防水プレートは、図７、図８（ｂ）及び図９に示すように、カバー２とパッキン３とが合成樹脂（例えば、軟質塩化ビニル等）で一体に２色成形、例えばカバー２を透明に、パッキン３をプレート１と同色に成形しており、その他の構成については第１の実施形態と同様である。
【００３３】
この防水プレートでは、カバー２とパッキン３とが一体成形されており、カバー２及びパッキン３を別体に設けている場合に比べ、部品点数や組み立て工数を削減することができるので、コストダウンが図れる。また一体成形することによりカバー２とパッキン３の接合部から水や塵が入り込む虞れがなく、防水性及び防塵性が向上する。さらに一体成形しているので、従来のようにカバー２をプレート１と押さえ板との間で挟み込んだり、プレート１と押さえ板とを熱着したりするスペースが不要であり、これらのスペースを利用してカバー２に設けた可撓部１２の蛇腹形状の幅を大きくすることができる。
【図面の簡単な説明】
【００３４】
【図１】第１の実施形態の防水プレートの分解斜視図である。
【図２】（ａ）は同上の正面図である。（ｂ）は同上のＡ−Ａ断面図である。
【図３】（ａ）は同上のＢ−Ｂ断面図である。（ｂ）は同上のＣ部断面図である。
【図４】（ａ）は同上のカバーの正面図である。（ｂ）は同上のカバーの側面図である。（ｃ）は同上のカバーの下面図である。
【図５】（ａ）は同上のカバーのＢ−Ｂ断面図である。（ｂ）は同上のカバーのＤ部断面図である。（ｃ）は同上のカバーのＥ部断面図である。
【図６】同上のカバーの背面図である。
【図７】第２の実施形態の防水プレートの分解斜視図である。
【図８】（ａ）は同上にスイッチを取付けた状態の正面図である。（ｂ）は同上にスイッチを取付けた状態のＡ−Ａ断面図である。
【図９】（ａ）は同上にスイッチを取付けた状態のＢ−Ｂ断面図である。（ｂ）はＦ部断面図である。
【図１０】（ａ）は従来例の防水プレートの分解斜視図である。（ｂ）は従来例の防水プレートにスイッチを取付けた状態の断面図である。
【符号の説明】
【００３５】
１      プレート
２      カバー
３      パッキン
５      開口窓（開口部）
１０    操作突出部（突出部）
１１    シール片（シール部）
１２    可撓部
２６    スイッチ（配線器具）
２６ａ  ハンドル部（操作部）
【図１】
2008011604.tif 000003
【図２】
2008011604.tif 000004
【図３】
2008011604.tif 000005
【図４】
2008011604.tif 000006
【図５】
2008011604.tif 000007
【図６】
2008011604.tif 000008
【図７】
2008011604.tif 000009
【図８】
2008011604.tif 000010
【図９】
2008011604.tif 000011
【図１０】
2008011604.tif 000012